(57)【特許請求の範囲】
【請求項１】
電話の音声等のユーザー情報を、回線が有する複数のユーザー情報チャネルを介して送受信可能なユーザー情報チャネル処理部と、
呼の設定を開始することを要求する発呼信号等の制御信号を、回線が有する制御チャネルを介して送受信可能な制御チャネル処理部と、
この制御チャネル処理部に、回線が有する制御チャネルを介して着信した発呼信号を、転送する場合の転送先である転送先端末の番号が記憶された転送先番号記憶部と、
前記制御チャネル処理部に、回線が有する制御チャネルを介して着信した発呼信号を、前記転送先番号記憶部に記憶された番号へ転送させる着信転送処理を実行する制御部とを有する端末装置であって、
この端末装置の配下に接続される端末に呼出信号を送出可能な端末呼出部と、
前記端末装置が、着信転送処理を実行する転送モードにあるか、着信転送処理を実行しない非転送モードにあるかが記憶されたモード記憶部とを有し、
このモード記憶部に、端末装置が非転送モードにあることが記憶されているときに、前記制御チャネル処理部が、回線が有する制御チャネルを介して発呼信号を着信したら、前記制御部は、前記端末呼出部から、端末装置の配下に接続された端末に呼出信号を送出させ、
前記モード記憶部に、端末装置が転送モードにあることが記憶されているときに、前記制御チャネル処理部が、回線が有する制御チャネルを介して発呼信号を着信したら、前記制御部は、着信転送処理を実行すると同時に、前記端末呼出部から、端末装置の配下に接続された端末に呼出信号を送出させ、
前記モード記憶部に、端末装置が転送モードにあることが記憶された状態のときに、前記制御チャネル処理部が、回線が有する制御チャネルを介して発呼信号を着信し、転送先端末または端末装置の配下に接続された端末から応答がないまま、発呼信号を送信した発信者が回線を切断したら、前記制御部は、前記モード記憶部に記憶された転送モードを非転送モードに変更することを特徴とする端末装置。
【請求項２】
前記制御部が、着信転送処理を実行する際に、前記制御チャネル処理部から転送先端末への発呼信号の送信を継続する時間を計測するタイマーを有し、
前記モード記憶部に、端末装置が転送モードにあることが記憶されているときに、前記制御チャネル処理部が、回線が有する制御チャネルを介して発呼信号を着信したら、前記制御部は、まず、着信転送処理を実行し、前記タイマーが計測する時間が、所定の時間に達しても、転送先端末から応答がない場合に、前記端末呼出部から、端末装置の配下に接続された端末に呼出信号を送出させることを特徴とする請求項１に記載の端末装置。
【請求項３】
前記制御部は、前記モード記憶部に記憶された転送モードを非転送モードに変更したら、前記制御チャネル処理部に、回線が有する制御チャネルを介して、端末装置の転送モードが解除されたことを、前記転送先番号記憶部に記憶された番号に通知させることを特徴とする請求項１に記載の端末装置。
【請求項４】
転送モードの解除の通知を繰り返す周期を計測するタイマーを有し、
前記制御部は、前記モード記憶部に記憶された転送モードを非転送モードに変更したら、前記制御チャネル処理部に、回線が有する制御チャネルを介して、端末装置の転送モードが解除されたことを、前記タイマーが計測する周期で、繰り返し、前記転送先番号記憶部に記憶された番号に通知させることを特徴とする請求項３に記載の端末装置。
【請求項５】
前記制御部は、前記モード記憶部に記憶された転送モードを非転送モードに変更した後、前記制御チャネル処理部が、回線が有する制御チャネルを介して発呼信号を着信し、着信した発呼信号に含まれる発信者番号が、前記転送先番号記憶部に記憶された番号と一致することを検出した場合に、前記モード記憶部に記憶された非転送モードを転送モードに戻すことを特徴とする請求項１から４のいずれかに記載の端末装置。
【請求項６】
着信転送処理の対象となる転送対象者の番号が記憶された転送対象者記憶部を有し、
前記モード記憶部に、端末装置が転送モードにあることが記憶されているときに、前記制御チャネル処理部が、回線が有する制御チャネルを介して発呼信号を着信したら、前記制御部は、前記制御チャネル処理部が着信した発呼信号に含まれる発信者番号が、前記転送対象者記憶部内に記憶されているかどうかを調べ、記憶されている場合にのみ、着信転送処理を実行することを特徴とする請求項１から５のいずれかに記載の端末装置。
【請求項７】
非転送モードであっても着信転送処理の対象となる強制転送対象者の番号が記憶された強制転送対象者記憶部を有し、
前記モード記憶部に、端末装置が非転送モードにあることが記憶されているときに、前記制御チャネル処理部が、回線が有する制御チャネルを介して発呼信号を着信したら、前記制御部は、前記制御チャネル処理部が着信した発呼信号に含まれる発信者番号が、前記強制転送対象者記憶部内に記憶されているかどうかを調べ、記憶されている場合には、着信転送処理を実行することを特徴とする請求項１から５のいずれかに記載の端末装置。
【請求項８】
前記制御チャネル処理部が、回線が有する制御チャネルを介して発呼信号を着信し、転送先端末または端末装置の配下に接続された端末から応答がないまま、発呼信号を送信した発信者が回線を切断したら、前記制御部は、前記制御チャネル処理部に、回線が有する制御チャネルを介して、端末装置に着信があったことを、前記転送先番号記憶部に記憶された番号に通知させることを特徴とする請求項１から７のいずれかに記載の端末装置。
【請求項９】
端末装置に着信があったことの通知を繰り返す周期を計測するタイマーを有し、
前記制御チャネル処理部が、回線が有する制御チャネルを介して発呼信号を着信し、転送先端末または端末装置の配下に接続された端末から応答がないまま、発呼信号を送信した発信者が回線を切断したら、前記制御部は、前記制御チャネル処理部に、回線が有する制御チャネルを介して、端末装置に着信があったことを、前記タイマーが計測する周期で、繰り返し、前記転送先番号記憶部に記憶された番号に通知させることを特徴とする請求項８に記載の端末装置。
【請求項１０】
端末装置に着信があったことの通知の対象となる通知対象者の番号が記憶された通知対象者記憶部を有し、
前記制御チャネル処理部が、回線が有する制御チャネルを介して発呼信号を着信したら、前記制御部は、前記制御チャネル処理部が着信した発呼信号に含まれる発信者番号が、前記通知対象者記憶部内に記憶されているかどうかを調べ、記憶されている場合にのみ、前記制御チャネル処理部に、回線が有する制御チャネルを介して、端末装置に着信があったことを、前記転送先番号記憶部に記憶された番号に通知させることを特徴とする請求項８または９に記載の端末装置。
【請求項１１】
前記回線は、ＩＳＤＮ回線であり、前記端末装置は、ＩＳＤＮ端末装置であることを特徴とする請求項１から１０のいずれかに記載の端末装置。
【発明の詳細な説明】
【０００１】
【発明の属する技術分野】
本発明は、端末装置、具体的には、ＩＳＤＮ端末装置に関する。
【０００２】
【従来の技術】
ＩＳＤＮのサービスの１つに、着信転送サービスがある。これは、発信者が受信者に電話をかけても、受信者が不在で応答できない場合に、あらかじめ受信者が指定した転送先端末に電話が転送されるサービスである。このような着信転送サービスは便利ではあるが、あらかじめ、通信業者と、この着信転送サービスの提供を受ける契約を結ばなければならない。
【０００３】
これに対し、通信業者と上記のような契約を結ばずに、疑似的に着信転送を実現する疑似着信転送機能を有するＩＳＤＮ端末装置がある。この疑似着信転送機能とは、ＩＳＤＮ回線が、２本のＢチャネル（ユーザー情報チャネル）を有することを利用して、１本のＢチャネルを介して、発信者からＩＳＤＮ端末装置に着信があった場合に、もう１本のＢチャネルを利用して、ＩＳＤＮ端末装置から転送先端末に転送を行い、発信者と転送先端末との通話を可能にする機能である。
なお、以下の説明では、疑似着信転送を、単に着信転送と記す。
【０００４】
図４は、上記のＩＳＤＮ端末装置の動作の一例を示すフローチャートである。
なお、以下の説明におけるＳ２０１等の符号は、フローチャート中のステップを表す。まず、処理フローの先頭において、ＩＳＤＮ端末装置への着信の有無が調べられる（Ｓ２０１）。着信が無かった場合（ＮＯ）には、処理フローは終了させられる。着信が有った場合（ＹＥＳ）には、ＩＳＤＮ端末装置が転送モードにあるか否かが調べられる（Ｓ２０２）。転送モードにはない場合（ＮＯ）には、ＩＳＤＮ端末装置の配下に接続されたアナログ電話機に呼出信号が送出される（Ｓ２０３）。転送モードにある場合（ＹＥＳ）には、着信転送処理が行われる（Ｓ２０４）。
【０００５】
次に、転送先端末からＩＳＤＮ端末装置へ応答信号が返ってきたかどうかが調べられる（Ｓ２０５）。転送先端末から応答信号が返ってきた場合（ＹＥＳ）には、２本のＢチャネルを介して発信者端末と転送先端末との通話が接続される（Ｓ２０６）。転送先端末から応答信号が返ってこない場合（ＮＯ）には、処理フローは終了させられる。
【０００６】
ところで、このＩＳＤＮ端末装置によって着信転送を行う場合には、ユーザー（受信者）は、ＩＳＤＮ端末装置を転送モードにする必要がある。
【０００７】
【発明が解決しようとする課題】
しかし、上記のＩＳＤＮ端末装置は、ユーザー（受信者）が外出先から戻ってきた時等に、転送モードを解除し忘れると、着信があった場合に、転送先端末のみを呼び出し、ＩＳＤＮ端末装置の配下に接続された端末を呼び出すことがない。従って、ユーザー（受信者）が、ＩＳＤＮ端末装置の配下に接続された端末の近くに居たとしても、ＩＳＤＮ端末装置への着信に気付かない可能性がある。
【０００８】
本発明は、上記の問題を解決するためになされたもので、ユーザーが、転送モードを解除し忘れた場合であっても、端末装置への着信に気付かないことを防ぐことができる端末装置を提供するものである。
【０００９】
【課題を解決するための手段】
本発明は、電話の音声等のユーザー情報を、回線が有する複数のユーザー情報チャネルを介して送受信可能なユーザー情報チャネル処理部と、呼の設定を開始することを要求する発呼信号等の制御信号を、回線が有する制御チャネルを介して送受信可能な制御チャネル処理部と、この制御チャネル処理部に、回線が有する制御チャネルを介して着信した発呼信号を、転送する場合の転送先である転送先端末の番号が記憶された転送先番号記憶部と、前記制御チャネル処理部に、回線が有する制御チャネルを介して着信した発呼信号を、前記転送先番号記憶部に記憶された番号へ転送させる着信転送処理を実行する制御部とを有する端末装置であって、この端末装置の配下に接続される端末に呼出信号を送出可能な端末呼出部と、前記端末装置が、着信転送処理を実行する転送モードにあるか、着信転送処理を実行しない非転送モードにあるかが記憶されたモード記憶部とを有し、このモード記憶部に、端末装置が非転送モードにあることが記憶されているときに、前記制御チャネル処理部が、回線が有する制御チャネルを介して発呼信号を着信したら、前記制御部は、前記端末呼出部から、端末装置の配下に接続された端末に呼出信号を送出させ、前記モード記憶部に、端末装置が転送モードにあることが記憶されているときに、前記制御チャネル処理部が、回線が有する制御チャネルを介して発呼信号を着信したら、前記制御部は、着信転送処理を実行すると同時に、前記端末呼出部から、端末装置の配下に接続された端末に呼出信号を送出させることを特徴とする端末装置である。
【００１０】
上記構成によれば、端末装置が非転送モードにあるときに回線から着信があったら、端末装置の配下に接続された端末が呼び出され、端末装置が転送モードにあるときに回線から着信があったら、着信転送処理が実行され、転送先端末が呼び出されると同時に、端末装置の配下に接続された端末も呼び出される。
【００１１】
従って、ユーザー（受信者）が外出先から戻ってきた時等に、端末装置の転送モードを解除し忘れたとしても、転送先端末と、端末装置の配下に接続された端末との両方が同時に呼び出される（例えば、両方の端末が同時に呼出音を発する）ので、ユーザー（受信者）が、端末装置への着信に気付かない確率を下げることができ、応答する確率を上げることができる。
【００１２】
本発明は、前記制御部が、着信転送処理を実行する際に、前記制御チャネル処理部から転送先端末への発呼信号の送信を継続する時間を計測するタイマーを有し、前記モード記憶部に、端末装置が転送モードにあることが記憶されているときに、前記制御チャネル処理部が、回線が有する制御チャネルを介して発呼信号を着信したら、前記制御部は、まず、着信転送処理を実行し、前記タイマーが計測する時間が、所定の時間に達しても、転送先端末から応答がない場合に、前記端末呼出部から、端末装置の配下に接続された端末に呼出信号を送出させることを特徴とする。
【００１３】
上記構成によれば、端末装置が転送モードにあるときに回線から着信があったら、まず、着信転送処理が実行され、転送先端末が呼び出され、所定の時間が経過しても転送先端末から応答がない場合に、端末装置の配下に接続された端末が呼び出される。
【００１４】
従って、ユーザー（受信者）が外出先から戻ってきた時等に、端末装置の転送モードを解除し忘れたとしても、転送先端末が呼び出され、所定の時間が経過しても転送先端末から応答がない場合に、端末装置の配下に接続された端末が呼び出される（例えば、転送先端末が、所定の時間、呼出音を発した後に、端末装置の配下に接続された端末が呼出音を発する）ので、ユーザー（受信者）が、端末装置への着信に気付かない確率を下げることができ、応答する確率を上げることができる。
【００１５】
本発明は、前記モード記憶部に、端末装置が転送モードにあることが記憶されているときに、前記制御チャネル処理部が、回線が有する制御チャネルを介して発呼信号を着信したら、前記制御部は、まず、着信転送処理を実行し、前記タイマーが計測する時間が、所定の時間に達しても、転送先端末から応答がない場合に、前記モード記憶部に記憶された転送モードを非転送モードに変更することを特徴とする。
【００１６】
上記構成によれば、端末装置が転送モードにあるときに回線から着信があったら、まず、着信転送処理が実行され、転送先端末が呼び出され、所定の時間が経過しても転送先端末から応答がない場合に、転送モードが解除されるので、その結果、端末装置の配下に接続された端末が呼び出される。
【００１７】
従って、ユーザー（受信者）が外出先から戻ってきた時等に、端末装置の転送モードを解除し忘れたとしても、転送先端末が呼び出され、所定の時間、応答がなければ、転送モードが解除され、その結果、端末装置の配下に接続された端末が呼び出されるので、ユーザー（受信者）が、端末装置への着信に気付かない確率を下げることができ、応答する確率を上げることができる。同時に、転送モードの解除し忘れを自動的に解消することができる。
【００１８】
本発明は、前記モード記憶部に、端末装置が転送モードにあることが記憶された状態のときに、前記制御チャネル処理部が、回線が有する制御チャネルを介して発呼信号を着信し、転送先端末または端末装置の配下に接続された端末から応答がないまま、発呼信号を送信した発信者が回線を切断したら、前記制御部は、前記モード記憶部に記憶された転送モードを非転送モードに変更することを特徴とする。
【００１９】
上記構成によれば、端末装置が転送モードにあるときに回線から着信があり、転送先端末または端末装置の配下に接続された端末から応答がないまま、発信者が回線を切断したら、端末装置の転送モードが解除されるので、転送モードの解除し忘れを自動的に解消することができる。
【００２０】
本発明は、前記制御部は、前記モード記憶部に記憶された転送モードを非転送モードに変更したら、前記制御チャネル処理部に、回線が有する制御チャネルを介して、端末装置の転送モードが解除されたことを、前記転送先番号記憶部に記憶された番号に通知させることを特徴とする。
【００２１】
上記構成によれば、何らかの原因で端末装置の転送モードが解除されたら、「端末装置の転送モードが解除されたこと」が、転送先端末に通知されるので、ユーザー（受信者）が、端末装置の転送モードが解除されたことに気付かない確率を下げることができる。
【００２２】
本発明は、転送モードの解除の通知を繰り返す周期を計測するタイマーを有し、前記制御部は、前記モード記憶部に記憶された転送モードを非転送モードに変更したら、前記制御チャネル処理部に、回線が有する制御チャネルを介して、端末装置の転送モードが解除されたことを、前記タイマーが計測する周期で、繰り返し、前記転送先番号記憶部に記憶された番号に通知させることを特徴とする。
【００２３】
上記構成によれば、何らかの原因で端末装置の転送モードが解除されたら、「端末装置の転送モードが解除されたこと」が、転送先端末に、所定の周期で繰り返し通知されるので、ユーザー（受信者）が、端末装置の転送モードが解除されたことに気付かない確率を、さらに下げることができる。
【００２４】
本発明は、前記制御部は、前記モード記憶部に記憶された転送モードを非転送モードに変更した後、前記制御チャネル処理部が、回線が有する制御チャネルを介して発呼信号を着信し、着信した発呼信号に含まれる発信者番号が、前記転送先番号記憶部に記憶された番号と一致することを検出した場合に、前記モード記憶部に記憶された非転送モードを転送モードに戻すことを特徴とする。
【００２５】
上記構成によれば、何らかの原因で端末装置の転送モードが解除され、例えば、ユーザーが、転送モードが解除されたことの通知を認識し（例えば、転送先端末の表示部に表示される通知を見て）、端末装置の転送モードを復活させたい場合に、転送先端末から端末装置に電話をかけると、端末装置の転送モードを復活させることができる。
【００２６】
本発明は、着信転送処理の対象となる転送対象者の番号が記憶された転送対象者記憶部を有し、前記モード記憶部に、端末装置が転送モードにあることが記憶されているときに、前記制御チャネル処理部が、回線が有する制御チャネルを介して発呼信号を着信したら、前記制御部は、前記制御チャネル処理部が着信した発呼信号に含まれる発信者番号が、前記転送対象者記憶部内に記憶されているかどうかを調べ、記憶されている場合にのみ、着信転送処理を実行することを特徴とする。
【００２７】
上記構成によれば、端末装置が転送モードにあるときに回線から着信があったら、発信者が転送対象者である場合にのみ、着信転送処理が実行されるので、例えば、発信者が重要な相手である場合にのみ、転送先端末への転送を実行することができ、転送先端末への転送数を制限することができる。
【００２８】
本発明は、非転送モードであっても着信転送処理の対象となる強制転送対象者の番号が記憶された強制転送対象者記憶部を有し、前記モード記憶部に、端末装置が非転送モードにあることが記憶されているときに、前記制御チャネル処理部が、回線が有する制御チャネルを介して発呼信号を着信したら、前記制御部は、前記制御チャネル処理部が着信した発呼信号に含まれる発信者番号が、前記強制転送対象者記憶部内に記憶されているかどうかを調べ、記憶されている場合には、着信転送処理を実行することを特徴とする。
【００２９】
上記構成によれば、発信者が強制転送対象者である場合には、端末装置が非転送モードにあるときであっても、着信転送処理が実行されるので、例えば、発信者が重要な相手である場合には、端末装置が非転送モードにあるときであっても、転送先端末への転送が実行され、重要な相手からの電話を取り損なう確率を下げることができる。
【００３０】
本発明は、前記制御チャネル処理部が、回線が有する制御チャネルを介して発呼信号を着信し、転送先端末または端末装置の配下に接続された端末から応答がないまま、発呼信号を送信した発信者が回線を切断したら、前記制御部は、前記制御チャネル処理部に、回線が有する制御チャネルを介して、端末装置に着信があったことを、前記転送先番号記憶部に記憶された番号に通知させることを特徴とする。
【００３１】
上記構成によれば、端末装置が転送モードにあるときに回線から着信があり、転送先端末または端末装置の配下に接続された端末から応答がないまま、発信者が回線を切断したら、端末装置から転送先端末に「端末装置に着信があったこと」が通知される。
従って、ユーザー（受信者）は、端末装置への着信に応答できなかった場合であっても、「端末装置に着信があったこと」の通知を受け取ることができ、例えば、この通知に応じて、発信者に電話をかけ直すことができる。従って、発信者と受信者との通話が接続される確率が上がる。
【００３２】
本発明は、端末装置に着信があったことの通知を繰り返す周期を計測するタイマーを有し、前記制御チャネル処理部が、回線が有する制御チャネルを介して発呼信号を着信し、転送先端末または端末装置の配下に接続された端末から応答がないまま、発呼信号を送信した発信者が回線を切断したら、前記制御部は、前記制御チャネル処理部に、回線が有する制御チャネルを介して、端末装置に着信があったことを、前記タイマーが計測する周期で、繰り返し、前記転送先番号記憶部に記憶された番号に通知させることを特徴とする。
【００３３】
上記構成によれば、端末装置が転送モードにあるときに回線から着信があり、転送先端末または端末装置の配下に接続された端末から応答がないまま、発信者が回線を切断したら、端末装置から転送先端末に「端末装置に着信があったこと」が、所定の周期で繰り返し通知される。
従って、ユーザー（受信者）は、「端末装置に着信があったこと」の通知を、繰り返し受け取ることができるので、ユーザー（受信者）が通知を認識する（例えば、転送先端末の表示部に表示される通知を見る）確率が上がる。そして、例えば、この通知に応じて、発信者に電話をかけ直すことができるので、発信者と受信者との通話が接続される確率が、さらに上がる。
【００３４】
本発明は、端末装置に着信があったことの通知の対象となる通知対象者の番号が記憶された通知対象者記憶部を有し、前記制御チャネル処理部が、回線が有する制御チャネルを介して発呼信号を着信したら、前記制御部は、前記制御チャネル処理部が着信した発呼信号に含まれる発信者番号が、前記通知対象者記憶部内に記憶されているかどうかを調べ、記憶されている場合にのみ、前記制御チャネル処理部に、回線が有する制御チャネルを介して、端末装置に着信があったことを、前記転送先番号記憶部に記憶された番号に通知させることを特徴とする。
また、発信者が通知対象者である場合にのみ、「端末装置に着信があったこと」が転送先端末に通知されるので、転送先端末への通知数を制限することができる。
【００３５】
上記構成によれば、端末装置が転送モードにあるときに回線から着信があり、転送先端末または端末装置の配下に接続された端末から応答がないまま、発信者が回線を切断したら、この発信者が通知対象者である場合にのみ、端末装置から転送先端末に「端末装置に着信があったこと」が通知される。
従って、ユーザー（受信者）は、端末装置への着信に応答できなかった場合であっても、発信者が通知対象者である場合には、「端末装置に着信があったこと」の通知を受け取ることができるので、例えば、重要な相手からの着信に応答できなかった場合に、「端末装置に着信があったこと」の通知を受け取ることができる。そして、例えば、この通知に応じて、発信者に電話をかけ直すことができるので、重要な相手との通話が接続される確率が上がる。
また、発信者が通知対象者である場合にのみ、「端末装置に着信があったこと」が転送先端末に通知されるので、転送先端末への通知数を制限することができる。
【００３６】
本発明は、前記回線は、ＩＳＤＮ回線であり、前記端末装置は、ＩＳＤＮ端末装置であることを特徴とする。
【００３７】
【発明の実施の形態】
図１は、本発明の第１の実施形態におけるＩＳＤＮ端末装置１を含む通信システムの構成を示すブロック図である。ＩＳＤＮ端末装置１はＩＳＤＮ回線２に接続され、同様にＩＳＤＮ回線２に接続された発信者端末３や転送先端末４と通信可能となっている。ＩＳＤＮ端末装置１の配下には、アナログ電話機５が接続される。なお、ＩＳＤＮとは、Integrated Services Digital Networkの略語であり、総合サービスデジタル通信網を意味する。
【００３８】
発信者端末３とは、本実施形態における発信者が使用する端末である。また、本実施形態における受信者は、ＩＳＤＮ端末装置１、アナログ電話機５、転送先端末４を使用する。受信者は、通常、アナログ電話機５を使用するが、外出時には転送先端末４を使用する。転送先端末４とは、例えば携帯電話機である。
【００３９】
すなわち、通常は、発信者が発信者端末３からＩＳＤＮ端末装置１へ電話をかけると、このＩＳＤＮ端末装置１の配下に接続されたアナログ電話機５が呼出音を発する。受信者は、外出の際には、ＩＳＤＮ端末装置１を転送モードにする。
すると、ＩＳＤＮ端末装置１に電話がかかってきた場合に、配下のアナログ電話機５が呼出音を発すると同時に、転送先端末４も呼出音を発する。
【００４０】
さらに、受信者がどちらの端末にもでないまま、発信者が電話を切った場合には、ＩＳＤＮ端末装置１は、転送先端末４に、「ＩＳＤＮ端末装置１に着信があったこと」を通知する。この通知は、所定の周期で繰り返し行われる。
【００４１】
ＩＳＤＮ端末装置１は、ＣＰＵ６、操作部７、タイマー８、メモリ９、ＩＳＤＮインタフェース１０、Ｄチャネル処理部１１、Ｂチャネル処理部１２、アナログ・インタフェース１３、アナログ電話機状態検出部１４を有する。
【００４２】
ＣＰＵ（Central Processing Unit）６は、ＩＳＤＮ端末装置１全体の動作を制御する。操作部７は、ユーザーがＩＳＤＮ端末装置１に各種の入力を行うためのものである。各種の入力とは、例えば、転送モードの設定である。タイマー８は、ＣＰＵ６によって制御され、各種の時間を計測する。各種の時間とは、例えば、転送モード時に、転送先端末４の呼び出しを継続する時間や、転送先端末４に「ＩＳＤＮ端末装置１に着信があったこと」を繰り返し通知する際の、繰り返しの周期である。
【００４３】
メモリ９もまた、ＣＰＵ６によって制御され、各種の情報を記憶する。このため、メモリ９は、モード記憶領域、発信者番号記憶領域、転送先番号記憶領域、転送対象者リスト、強制転送対象者リスト、通知対象者リストを有する。モード記憶領域には、ＩＳＤＮ端末装置１が通常モード（非転送モード）にあるか転送モードにあるかが記憶される。発信者番号記憶領域には、ＩＳＤＮ端末装置１に着信があった場合の発信者の電話番号が記憶される。転送先番号記憶領域には、転送先端末４の電話番号が記憶される。
【００４４】
転送対象者リストには、転送対象者の電話番号等が記憶される。転送対象者とは、ＩＳＤＮ端末装置１が転送モードにあるとき、転送の対象となる発信者である。すなわち、この転送対象者リストを活用する場合、ＩＳＤＮ端末装置１は、転送モード時、転送対象者から電話がかかってきた時にのみ、転送先端末４への転送を行う。
【００４５】
強制転送対象者リストには、強制転送対象者の電話番号等が記憶される。強制転送対象者とは、ＩＳＤＮ端末装置１が転送モードにないときであっても、転送の対象となる発信者である。すなわち、この強制転送対象者リストを活用する場合、ＩＳＤＮ端末装置１は、転送モードにないときであっても、強制転送対象者から電話がかかってきた時には、転送先端末４への転送を行う。
【００４６】
通知対象者リストには、通知対象者の電話番号等が記憶される。通知対象者とは、ＩＳＤＮ端末装置１が転送モードにあるとき、転送先端末４への転送を行っても応答がなく、また配下のアナログ電話機５も応答せず、発信者が電話を切ってしまった場合に、「ＩＳＤＮ端末装置１に着信があったこと」の通知の対象となる発信者である。なお、ここでいう通知とは、Ｂチャネルを用いた通話ではなく、Ｄチャネルを用いた情報の通知を意味する。
【００４７】
ＩＳＤＮインタフェース１０は、ＩＳＤＮ端末装置１をＩＳＤＮ回線２に接続するためのものである。Ｄチャネル処理部１１は、Ｄチャネル（制御チャネル）を介して伝送される各種の制御信号を処理する。Ｂチャネル処理部１２は、Ｂチャネル（ユーザー情報チャネル）を介して伝送される音声等のユーザー情報を処理する。なお、ＩＳＤＮ回線２においては、１本の回線が複数のチャネルをもつ。例えば、１本のＤチャネルと、２本のＢチャネル（Ｂ１チャネル、Ｂ２チャネル）とをもつ。アナログ・インタフェース１３は、ＩＳＤＮ端末装置１の配下にアナログ電話機５を接続するためのものである。
【００４８】
アナログ電話機状態検出部１４は、ＩＳＤＮ端末装置１の配下に接続されるアナログ電話機５の状態を検出する。アナログ電話機５の状態とは、例えば、アナログ電話機５がオフ・フック（ＯＦＦ  ＨＯＯＫ）の状態であるか否かである。
このため、アナログ電話機状態検出部１４は、アナログ電話機５が発するオフ・フック信号を検出する。
【００４９】
図２は、本実施形態におけるＩＳＤＮ端末装置１の動作を示すフローチャートである。ＩＳＤＮ端末装置１内のＣＰＵ６が、このフローチャートに示された「ＳＴＡＲＴ」から「ＥＮＤ」までの処理フローを繰り返し実行する。なお、以下の説明におけるＳ１等の符号は、フローチャート中のステップを表す。
【００５０】
ＣＰＵ６は、処理フローの先頭において、ＩＳＤＮ端末装置１への着信の有無を調べる（Ｓ１）。具体的には、ＣＰＵ６は、Ｄチャネル処理部１１を用いて、ＩＳＤＮ回線２のＤチャネルを介して発呼信号が送られてきていないかどうかを調べる。発呼信号が送られてきていない、すなわち着信が無かった場合（ＮＯ）には、ＣＰＵ６は、処理フローを終了させ、再度「ＳＴＡＲＴ」から処理フローを実行する。すなわち、ＣＰＵ６は、この処理フローを、ＩＳＤＮ端末装置１への着信が有るまで繰り返し実行する。
【００５１】
発呼信号が送られてきた、すなわち着信が有った場合（ＹＥＳ）には、ＣＰＵ６は、Ｄチャネル処理部１１を用いて、送られてきた発呼信号に含まれている呼設定情報の中から、発信者の電話番号を取り出し、メモリ９内の発信者番号記憶領域に記憶させる（Ｓ２）。
【００５２】
次に、ＣＰＵ６は、ＩＳＤＮ端末装置１が転送モードにあるか否かを調べる（Ｓ３）。具体的には、ＣＰＵ６は、メモリ８内のモード記憶領域を調べる。転送モードにはない場合（ＮＯ）には、アナログ・インタフェース１３から、ＩＳＤＮ端末装置１の配下に接続されたアナログ電話機５に呼出信号を送出させる（Ｓ４）。転送モードにある場合（ＹＥＳ）には、配下のアナログ電話機５に呼出信号を送出させると同時に、着信転送処理を開始する（Ｓ５）。着信転送処理の開始とは、ＩＳＤＮ端末装置１から転送先端末４にＤチャネルを介して発呼信号を送る動作である。その結果、転送先端末４と、配下のアナログ電話機５とが、同時に呼出音を発する。
【００５３】
次に、ＣＰＵ６は、Ｄチャネル処理部１１を用いて、転送先端末４からＩＳＤＮ端末装置１へＤチャネルを介して応答信号が返ってきたかどうかを調べる（Ｓ６）。転送先端末４から応答信号が返ってきた場合（ＹＥＳ）には、ＣＰＵ６は、Ｂチャネル処理部１２を用いて、２本のＢチャネルを介して発信者端末３と転送先端末４との通話を接続させる（Ｓ７）。詳細には、発信者端末３とＩＳＤＮ端末装置１との通話を、１本のＢチャネル（以下、このチャネルをＢ１チャネルとする）を介して接続させ、ＩＳＤＮ端末装置１と転送先端末４との通話を、もう１本のＢチャネル（以下、このチャネルをＢ２チャネルとする）を介して接続させ、さらに、Ｂ１チャネルとＢ２チャネルとを、ＩＳＤＮ端末装置１内のＢチャネル処理部１２で連結させる。
【００５４】
転送先端末４から応答信号が返ってこない場合（ＮＯ）には、ＣＰＵ６は、配下のアナログ電話機５から応答信号が返ってきたかどうかを調べる（Ｓ８）。配下のアナログ電話機５から応答信号が返ってきた場合（ＹＥＳ）には、ＣＰＵ６は、Ｂチャネル処理部１２を用いて、１本のＢチャネル（例えばＢ１チャネル）を介して発信者端末３と、配下のアナログ電話機５との通話を接続させる（Ｓ９）。
【００５５】
配下のアナログ電話機５から応答信号が返ってこない場合（ＮＯ）には、ＣＰＵ６は、Ｄチャネル処理部１１を用いて、発信者端末３からＤチャネルを介して切断信号が送られてきたかどうかを調べる（Ｓ１０）。発信者端末３から切断信号が送られてくる場合とは、例えば、受信者が応答しないので、発信者があきらめて電話を切った場合である。切断信号が送られてこなかった場合（ＮＯ）には、ＣＰＵ６は、処理ステップをステップＳ６へ戻し、再度ステップＳ６、Ｓ８、Ｓ１０を実行する。そして、転送先端末４から応答信号が返ってくるか（Ｓ６）、配下のアナログ電話機５から応答信号が返ってくるか（Ｓ８）、あるいは発信者端末３から切断信号が送られてくる（Ｓ１０）まで、ステップＳ６、Ｓ８、Ｓ１０の実行を繰り返す。
【００５６】
発信者端末３から切断信号が送られてきた場合（ＹＥＳ）には、ＣＰＵ６は、発信者が通知対象者であるか否かを調べる（Ｓ１１）。具体的には、ＣＰＵ６は、メモリ９内の通知対象者リストに、発信者の電話番号があるか否かを調べる。
発信者が通知対象者ではなかった場合（ＮＯ）には、ＣＰＵ６は、処理フローを終了させる。発信者が通知対象者であった場合（ＹＥＳ）には、ＣＰＵ６は、Ｄチャネル処理部１２を用い、Ｄチャネルを介して転送先端末４に、「ＩＳＤＮ端末装置１に着信が有ったこと」を通知する（Ｓ１２）。詳細には、Ｄチャネルのユーザ・ユーザ情報格納領域を用いて通知する。この通知は、所定の周期で繰り返し行われる。繰り返しの周期は、タイマー８が計測する。
【００５７】
以上の動作により、本実施形態におけるＩＳＤＮ端末装置１は、転送モード時に着信した場合には、転送先端末４に発呼信号を送信すると同時に、配下に接続されたアナログ電話機５に呼出信号を送出するので、転送先端末４と、配下のアナログ電話機５との両方が同時に呼出音を発する。そして、どちらか応答が早い方に呼を接続する。従って、例えば、ユーザー（受信者）が外出先から戻った時に、ＩＳＤＮ端末装置１の転送モードを解除するのを忘れたとしても、配下のアナログ電話機５が呼出音を発し、このアナログ電話機５に呼を接続することができるので、呼が接続される確率が高まる。
【００５８】
さらに、受信者がどちらの端末にもでないまま、発信者が電話を切った場合には、ＩＳＤＮ端末装置１は、転送先端末４に、「ＩＳＤＮ端末装置１に着信があったこと」を所定の周期で繰り返し通知する。この通知は、Ｂチャネルを用いた通話ではなく、Ｄチャネルを用いた情報の通知である。従って、この通知は、例えば、転送先端末４の表示部に表示される。受信者は、通知を受け取るために、電話にでる必要はない。また、この通知は、所定の周期で繰り返し行われるので、この通知を受信者に確実に伝えることができる。
【００５９】
次に、本発明の第２の実施形態におけるＩＳＤＮ端末装置について説明する。
本実施形態におけるＩＳＤＮ端末装置の構成は、図１に示したＩＳＤＮ端末装置１と同様である。
【００６０】
本実施形態におけるＩＳＤＮ端末装置１が転送モードにあるとき、発信者が発信者端末３からＩＳＤＮ端末装置１へ電話をかけると、まず、転送先端末４が呼出音を発し、所定の時間、応答が無かった場合に、転送先には受信者がいないものとみなされ、配下のアナログ電話機５が呼出音を発する。
【００６１】
さらに、受信者がどちらの端末にもでないまま、発信者が電話を切った場合には、ＩＳＤＮ端末装置１は、転送先端末４に、「ＩＳＤＮ端末装置１に着信があったこと」を通知する。この通知は、所定の周期で繰り返し行われる。
【００６２】
図３は、本実施形態の動作を示すフローチャートである。ＩＳＤＮ端末装置１内のＣＰＵ６が、このフローチャートに示された「ＳＴＡＲＴ」から「ＥＮＤ」までの処理フローを繰り返し実行する。なお、以下の説明におけるＳ１０１等の符号は、フローチャート中のステップを表す。また、図２に示したフローチャート中のステップと同一のステップについては、その説明を省略する場合がある。
【００６３】
処理フローの先頭におけるステップＳ１０１〜Ｓ１０４は、図２のステップＳ１〜Ｓ４と同一である。すなわち、Ｓ１０１はＳ１と、Ｓ１０２はＳ２と、Ｓ１０３はＳ３と、Ｓ１０４はＳ４と同一である。従って、Ｓ１０１〜Ｓ１０４の説明は省略する。
【００６４】
次のステップＳ１０５では、ＣＰＵ６は、着信転送処理を開始すると同時に、タイマー８をスタートさせ、転送先端末４の呼び出しを継続する時間の計測を開始する。着信転送処理の開始とは、ＩＳＤＮ端末装置１から転送先端末４にＤチャネルを介して発呼信号を送る動作である。その結果、転送先端末４が呼出音を発する。
【００６５】
次に、ＣＰＵ６は、Ｄチャネル処理部１１を用いて、転送先端末４からＩＳＤＮ端末装置１へＤチャネルを介して応答信号が返ってきたかどうかを調べる（Ｓ１０６）。転送先端末４から応答信号が返ってきた場合（ＹＥＳ）には、ＣＰＵ６は、Ｂチャネル処理部１２を用いて、２本のＢチャネルを介して発信者端末３と転送先端末４との通話を接続させる（Ｓ１０７）。詳細には、発信者端末３とＩＳＤＮ端末装置１との通話をＢ１チャネルを介して接続させ、ＩＳＤＮ端末装置１と転送先端末４との通話をＢ２チャネルを介して接続させ、さらに、Ｂ１チャネルとＢ２チャネルとを、ＩＳＤＮ端末装置１内のＢチャネル処理部１２で連結させる。
【００６６】
転送先端末４から応答信号が返ってこない場合（ＮＯ）には、ＣＰＵ６は、転送先端末４の呼び出しを継続する時間が満了したか否か、すなわちタイマー８が計測している時間が所定の時間に達したか否かを調べる（Ｓ１０８）。所定の時間に達していない、すなわち満了していなければ（ＮＯ）、ＣＰＵ６は、処理ステップをステップＳ１０６に戻し、再度ステップＳ１０６、Ｓ１０８を実行する。そして、転送先端末４から応答信号が返ってくるか（Ｓ１０６）、あるいはタイマー８が満了する（Ｓ１０８）まで、ステップＳ１０６、Ｓ１０８の実行を繰り返す。
【００６７】
タイマー８が満了したら（ＹＥＳ）、ＣＰＵ６は、転送先には受信者がいないものとみなし、アナログ・インタフェース１３から、ＩＳＤＮ端末装置１の配下に接続されたアナログ電話機５に呼出信号を送出させる（Ｓ１０９）。
【００６８】
そして、ＣＰＵ６は、配下のアナログ電話機５から応答信号が返ってきたかどうかを調べる（Ｓ１１０）。配下のアナログ電話機５から応答信号が返ってきた場合（ＹＥＳ）には、ＣＰＵ６は、Ｂチャネル処理部１２を用いて、１本のＢチャネル（例えばＢ１チャネル）を介して発信者端末３と、配下のアナログ電話機５との通話を接続させる（Ｓ１１１）。
【００６９】
配下のアナログ電話機５から応答信号が返ってこない場合（ＮＯ）には、ＣＰＵ６は、Ｄチャネル処理部１１を用いて、発信者端末３からＤチャネルを介して切断信号が送られてきたかどうかを調べる（Ｓ１１２）。発信者端末３から切断信号が送られてくる場合とは、例えば、受信者が応答しないので、発信者があきらめて電話を切った場合である。切断信号が送られてこなかった場合（ＮＯ）には、ＣＰＵ６は、処理ステップをステップＳ１１０へ戻し、再度ステップＳ１１０、Ｓ１１２を実行する。そして、配下のアナログ電話機５から応答信号が返ってくるか（Ｓ１１０）、あるいは発信者端末３から切断信号が送られてくる（Ｓ１１２）まで、ステップＳ１１０、Ｓ１１２の実行を繰り返す。
【００７０】
発信者端末３から切断信号が送られてきた場合（ＹＥＳ）には、ＣＰＵ６は、処理ステップをステップＳ１１３へ進める。ステップＳ１１３、Ｓ１１４は、図２のステップＳ１１、Ｓ１２と同一なので、説明を省略する。
【００７１】
なお、上記実施形態におけるステップＳ１０８で、転送先端末４の呼び出しを継続する時間が満了、すなわちタイマー８が満了したら（ＹＥＳ）、ＩＳＤＮ端末装置１の転送モードを解除するようにしてもよい。
【００７２】
また、第１の実施形態におけるステップＳ１０、または第２の実施形態におけるステップＳ１１２で、受信者が応答しないまま発信者が電話を切ったら（ＹＥＳ）、ＩＳＤＮ端末装置１の転送モードを解除するようにしてもよい。
【００７３】
また、転送モードを解除したら、「転送モードを解除したこと」をＤチャネルを介して転送先端末４に通知するようにしてもよい。さらに、この通知を、所定の周期で繰り返し行ってもよい。この周期の測定は、タイマー８を用いて行えばよい。さらに、受信者が「転送モードを解除したこと」の通知を見て、転送先端末４からＩＳＤＮ端末装置１に電話をかけると、解除された転送モードが復活するようにしてもよい。
【００７４】
また、ＩＳＤＮ端末装置１を転送モードにすると、特定の発信者から電話がかかってきた時にのみ、転送先端末４に電話を転送するようにしてもよい。特定の発信者に関する情報、例えば、特定の発信者の電話番号は、メモリ９内の転送対象者リストに記憶させればよい。
【００７５】
また、特定の発信者から電話がかかってきた時には、ＩＳＤＮ端末装置１が転送モードになくても、転送先端末４に電話を転送するようにしてもよい。特定の発信者に関する情報、例えば、特定の発信者の電話番号は、メモリ９内の強制転送対象者リストに記憶させればよい。
【００７６】
また、特定の発信者から電話がかかってきた時にのみ、転送先端末４に「ＩＳＤＮ端末装置１に着信があったこと」を通知するようにしてもよい。特定の発信者に関する情報、例えば、特定の発信者の電話番号は、メモリ９内の通知対象者リストに記憶させればよい。
【００７７】
なお、以上の第１および第２の実施形態では、ＩＳＤＮ回線２に接続される装置を例に挙げたが、本発明は、ＩＳＤＮ回線２に限定されるものではなく、１本の回線が複数のチャネルをもつ回線であれば、適用可能である。
【００７８】
【発明の効果】
本発明によれば、端末装置が非転送モードにあるときに回線から着信があったら、端末装置の配下に接続された端末が呼び出され、端末装置が転送モードにあるときに回線から着信があったら、着信転送処理が実行され、転送先端末が呼び出されると同時に、端末装置の配下に接続された端末も呼び出される。
従って、ユーザー（受信者）が外出先から戻ってきた時等に、端末装置の転送モードを解除し忘れたとしても、転送先端末と、端末装置の配下に接続された端末との両方が同時に呼び出される（例えば、両方の端末が同時に呼出音を発する）ので、ユーザー（受信者）が、端末装置への着信に気付かない確率を下げることができ、応答する確率を上げることができる。
また、端末装置が転送モードにあるときに回線から着信があり、転送先端末または端末装置の配下に接続された端末から応答がないまま、発信者が回線を切断したら、端末装置の転送モードが解除されるので、転送モードの解除し忘れを自動的に解消することができる。
【００７９】
また、本発明によれば、端末装置が転送モードにあるときに回線から着信があったら、まず、着信転送処理が実行され、転送先端末が呼び出され、所定の時間が経過しても転送先端末から応答がない場合に、端末装置の配下に接続された端末が呼び出される。
従って、ユーザー（受信者）が外出先から戻ってきた時等に、端末装置の転送モードを解除し忘れたとしても、転送先端末が呼び出され、所定の時間が経過しても転送先端末から応答がない場合に、端末装置の配下に接続された端末が呼び出される（例えば、転送先端末が、所定の時間、呼出音を発した後に、端末装置の配下に接続された端末が呼出音を発する）ので、ユーザー（受信者）が、端末装置への着信に気付かない確率を下げることができ、応答する確率を上げることができる。
【００８２】
また、本発明によれば、何らかの原因で端末装置の転送モードが解除されたら、「端末装置の転送モードが解除されたこと」が、転送先端末に通知されるので、ユーザー（受信者）が、端末装置の転送モードが解除されたことに気付かない確率を下げることができる。
【００８３】
また、本発明によれば、何らかの原因で端末装置の転送モードが解除されたら、「端末装置の転送モードが解除されたこと」が、転送先端末に、所定の周期で繰り返し通知されるので、ユーザー（受信者）が、端末装置の転送モードが解除されたことに気付かない確率を、さらに下げることができる。
【００８４】
また、本発明によれば、何らかの原因で端末装置の転送モードが解除され、例えば、ユーザーが、転送モードが解除されたことの通知を認識し（例えば、転送先端末の表示部に表示される通知を見て）、端末装置の転送モードを復活させたい場合に、転送先端末から端末装置に電話をかけると、端末装置の転送モードを復活させることができる。
【００８５】
また、本発明によれば、端末装置が転送モードにあるときに回線から着信があったら、発信者が転送対象者である場合にのみ、着信転送処理が実行されるので、例えば、発信者が重要な相手である場合にのみ、転送先端末への転送を実行することができ、転送先端末への転送数を制限することができる。
【００８６】
また、本発明によれば、発信者が強制転送対象者である場合には、端末装置が非転送モードにあるときであっても、着信転送処理が実行されるので、例えば、発信者が重要な相手である場合には、端末装置が非転送モードにあるときであっても、転送先端末への転送が実行され、重要な相手からの電話を取り損なう確率を下げることができる。
【００８７】
また、本発明によれば、端末装置が転送モードにあるときに回線から着信があり、転送先端末または端末装置の配下に接続された端末から応答がないまま、発信者が回線を切断したら、端末装置から転送先端末に「端末装置に着信があったこと」が通知される。
従って、ユーザー（受信者）は、端末装置への着信に応答できなかった場合であっても、「端末装置に着信があったこと」の通知を受け取ることができ、例えば、この通知に応じて、発信者に電話をかけ直すことができる。従って、発信者と受信者との通話が接続される確率が上がる。
【００８８】
また、本発明によれば、端末装置が転送モードにあるときに回線から着信があり、転送先端末または端末装置の配下に接続された端末から応答がないまま、発信者が回線を切断したら、端末装置から転送先端末に「端末装置に着信があったこと」が、所定の周期で繰り返し通知される。
従って、ユーザー（受信者）は、「端末装置に着信があったこと」の通知を、繰り返し受け取ることができるので、ユーザー（受信者）が通知を認識する（例えば、転送先端末の表示部に表示される通知を見る）確率が上がる。そして、例えば、この通知に応じて、発信者に電話をかけ直すことができるので、発信者と受信者との通話が接続される確率が、さらに上がる。
【００８９】
また、本発明によれば、端末装置が転送モードにあるときに回線から着信があり、転送先端末または端末装置の配下に接続された端末から応答がないまま、発信者が回線を切断したら、この発信者が通知対象者である場合にのみ、端末装置から転送先端末に「端末装置に着信があったこと」が通知される。
従って、ユーザー（受信者）は、端末装置への着信に応答できなかった場合であっても、発信者が通知対象者である場合には、「端末装置に着信があったこと」の通知を受け取ることができるので、例えば、重要な相手からの着信に応答できなかった場合に、「端末装置に着信があったこと」の通知を受け取ることができる。そして、例えば、この通知に応じて、発信者に電話をかけ直すことができるので、重要な相手との通話が接続される確率が上がる。
また、発信者が通知対象者である場合にのみ、「端末装置に着信があったこと」が転送先端末に通知されるので、転送先端末への通知数を制限することができる。
【図面の簡単な説明】
【図１】  本発明の第１の実施形態におけるＩＳＤＮ端末装置１を含む通信システムの構成を示すブロック図。
【図２】  本発明の第１の実施形態におけるＩＳＤＮ端末装置１の動作を示すフローチャート。
【図３】  本発明の第２の実施形態におけるＩＳＤＮ端末装置１の動作を示すフローチャート。
【図４】  従来のＩＳＤＮ端末装置の動作の一例を示すフローチャート。
【符号の説明】
１  ＩＳＤＮ端末装置（端末装置）
２  ＩＳＤＮ回線（回線）
３  発信者端末
４  転送先端末
５  アナログ電話機（端末）
６  ＣＰＵ（制御部）
７  操作部
８  タイマー
９  メモリ（転送先番号記憶部、モード記憶部）
１０  ＩＳＤＮインタフェース
１１  Ｄチャネル処理部（制御チャネル処理部）
１２  Ｂチャネル処理部（ユーザー情報チャネル処理部）
１３  アナログ・インタフェース（端末呼出部）
１４  アナログ電話機状態検出部
【図１】
0003705124.tif 000002
【図２】
0003705124.tif 000003
【図３】
0003705124.tif 000004
【図４】
0003705124.tif 000005